(57)【要約】【課題】異なる複数の検査項目の分析を並行して行っても、異なる検査項目間における試薬や検体のクロスコンタミネーションを防止し、分析の信頼性や分析時間を従来通りに維持できる小型な自動分析装置を提供すること。【解決手段】検査項目の異なる複数の検査項目の分析を並行して行う自動分析装置１は、異なる検査項目用の複数の試薬分注プローブを一体に移動させる試薬分注装置７，９と、異なる検査項目用の複数の検体分注プローブを一体に移動させる検体分注装置１２とを備え、複数列の反応容器の列ごとに異なる試薬分注プローブ及び検体分注プローブを使用してそれぞれ異なる検査項目用の試薬及び検体を分注し、異なる複数の検査項目の分析を並行して行う。【選択図】        図１
2009053028.tif 000002
【特許請求の範囲】
【請求項１】
検査項目の異なる複数の検査項目の分析を並行して行う自動分析装置であって、
異なる検査項目用の試薬容器の配置間隔及び複数並行に配列して搬送される反応容器の配列間隔に合わせて離隔配置され、異なる検査項目用の試薬を異なる試薬容器から異なる反応容器へ個別に分注する試薬分注プローブを複数有し、前記複数の試薬分注プローブを一体に移動させる試薬分注装置と、
異なる検査項目用の検体容器の配置間隔及び前記反応容器の配列間隔に合わせて離隔配置され、異なる検査項目用の検体を異なる検体容器から異なる反応容器へ個別に分注する検体分注プローブを複数有し、前記複数の検体分注プローブを一体に移動させる検体分注装置と、
を備え、前記複数列の反応容器の列ごとに異なる前記試薬分注プローブ及び前記検体分注プローブを使用してそれぞれ異なる検査項目用の試薬及び検体を分注し、異なる複数の検査項目の分析を並行して行うことを特徴とする自動分析装置。
【請求項２】
前記反応テーブルは、一方の検査項目用の検体及び試薬が分注される前記反応容器と、他方の検査項目用の検体及び試薬が分注される前記反応容器とが同心円上の内外２列に配列されていることを特徴とする請求項１に記載の自動分析装置。
【請求項３】
前記異なる検査項目用の試薬は、外周側と内周側に分けて試薬テーブルに保持されていることを特徴とする請求項１に記載の自動分析装置。
【請求項４】
前記検体分注装置及び前記試薬分注装置は、前記２つの検体分注プローブ及び前記２つの試薬分注プローブのそれぞれを上下方向に移動させて互いの先端高さを変更する駆動手段を備えていることを特徴とする請求項１に記載の自動分析装置。
【発明の詳細な説明】
【技術分野】
【０００１】
本発明は、自動分析装置に関するものである。
【背景技術】
【０００２】
従来、血液や尿等の生体試料を分析する自動分析装置は、検査項目ごとに分かれた分析ユニットを複数有し、検査項目に応じて複数の分析ユニットのうちの特定の分析ユニットを選択して検体を分析する多ユニット分析装置が知られている（例えば、特許文献１参照）。
【０００３】
【特許文献１】特許第３２７１６０４号公報
【発明の開示】
【発明が解決しようとする課題】
【０００４】
ところで、特許文献１に開示された多ユニット分析装置は、複数の分析ユニットを並べたものであることから大きな配置スペースを占め、小型化が望まれていた。この場合、単に複数の分析ユニットを１つのユニットとしても、検体分注プローブ、試薬分注プローブ及び反応容器を共用し、検査項目ごとに検体や試薬を分注して検体を分析することになることから、異なる検査項目間で試薬又は検体のクロスコンタミネーションが発生して分析の信頼性が低下するうえ、分析に時間が掛かるという不具合が生じてしまう。
【０００５】
本発明は、上記に鑑みてなされたものであって、異なる複数の検査項目の分析を並行して行っても、異なる検査項目間における試薬や検体のクロスコンタミネーションを防止し、分析の信頼性や分析時間を従来通りに維持できる小型な自動分析装置を提供することを目的とする。
【課題を解決するための手段】
【０００６】
上述した課題を解決し、目的を達成するために、本発明の自動分析装置は、検査項目の異なる複数の検査項目の分析を並行して行う自動分析装置であって、異なる検査項目用の試薬容器の配置間隔及び複数並行に配列して搬送される反応容器の配列間隔に合わせて離隔配置され、異なる検査項目用の試薬を異なる試薬容器から異なる反応容器へ個別に分注する試薬分注プローブを複数有し、前記複数の試薬分注プローブを一体に移動させる試薬分注装置と、異なる検査項目用の検体容器の配置間隔及び前記反応容器の配列間隔に合わせて離隔配置され、異なる検査項目用の検体を異なる検体容器から異なる反応容器へ個別に分注する検体分注プローブを複数有し、前記複数の検体分注プローブを一体に移動させる検体分注装置と、を備え、前記複数列の反応容器の列ごとに異なる前記試薬分注プローブ及び前記検体分注プローブを使用してそれぞれ異なる検査項目用の試薬及び検体を分注し、異なる複数の検査項目の分析を並行して行うことを特徴とする。
【０００７】
また、本発明の自動分析装置は、上記の発明において、前記反応テーブルは、一方の検査項目用の検体及び試薬が分注される前記反応容器と、他方の検査項目用の検体及び試薬が分注される前記反応容器とが同心円上の内外２列に配列されていることを特徴とする。
【０００８】
また、本発明の自動分析装置は、上記の発明において、前記異なる検査項目用の試薬は、外周側と内周側に分けて試薬テーブルに保持されていることを特徴とする。
【０００９】
また、本発明の自動分析装置は、上記の発明において、前記検体分注装置及び前記試薬分注装置は、前記２つの検体分注プローブ及び前記２つの試薬分注プローブのそれぞれを上下方向に移動させて互いの先端高さを変更する駆動手段を備えていることを特徴とする。
【発明の効果】
【００１０】
本発明の自動分析装置は、複数列の反応容器の列ごとに異なる試薬分注プローブ及び検体分注プローブを使用してそれぞれ異なる検査項目用の試薬及び検体を分注し、異なる複数の検査項目の分析を並行して行うので、異なる複数の検査項目の分析を並行して行っても、異なる検査項目間における試薬や検体のクロスコンタミネーションを防止し、分析の信頼性や分析時間を従来通りに維持でき、小型化することもできるという効果を奏する。
【発明を実施するための最良の形態】
【００１１】
以下、本発明の自動分析装置にかかる実施の形態について、図面を参照しつつ詳細に説明する。図１は、本発明の自動分析装置を示す概略構成図である。図２は、図１の自動分析装置で使用している反応テーブルの平面図である。図３は、図１の自動分析装置で使用している試薬分注装置の側面図である。
【００１２】
自動分析装置１は、生化学検査項目、遺伝子検査項目又は免疫検査項目のうちの異なる２つの検査項目、例えば、生化学検査項目と遺伝子検査項目の分析を並行して行う自動分析装置であり、図１に示すように、第１試薬テーブル２、第２試薬テーブル３、反応テーブル５、第１試薬分注装置７、第２試薬分注装置９、検体容器移送部１１、攪拌部１４、測光部１５、洗浄部１６及び制御部１７を備えている。
【００１３】
第１試薬テーブル２及び第２試薬テーブル３は、それぞれ構造が同一であるので、第１試薬テーブル２について説明し、第２試薬テーブル３については、対応する構成要素に対応する符号を使用することで説明を省略する。
【００１４】
第１試薬テーブル２は、図１に示すように、半径方向外周側の部分と内周側の部分がそれぞれ独立して回転し、外周側には生化学検査項目用の第１試薬の試薬容器２ａが、内周側には遺伝子検査項目用の第１試薬の試薬容器２ｂが、それぞれ保持されており、保持した試薬容器２ａ，２ｂを周方向に搬送する。このとき、試薬容器２ａ，２ｂは、試薬分注口の間隔Ｌ1が反応テーブル５に保持される複数の反応容器６Ａ，６Ｂの半径方向における中心間の間隔Ｌ2と等しくなるように設定されている。
【００１５】
反応テーブル５は、図１及び図２に示すように、リング状に成形されており、複数の反応容器６Ａ，６Ｂが半径方向に中心間の間隔Ｌ2を置いて周方向に沿って内外２列に配列されている。反応テーブル５は、試薬テーブル２，３の駆動手段とは異なる駆動手段によって正転或いは逆転され、反応容器６Ａ，６Ｂを周方向に沿って搬送する。反応テーブル５は、例えば、一周期で時計方向に（１周−１反応容器）／４回転し、四周期で（１周−１反応容器）回転する。
【００１６】
反応容器６Ａ，６Ｂは、四角筒形状の容量が数ｎＬ〜数十μＬと微量なキュベットであり、測光部１５が出射する分析光に含まれる光の８０％以上を透過する透明素材、例えば、耐熱ガラスを含むガラス，環状オレフィンやポリスチレン等の合成樹脂が使用される。反応容器６Ａ，６Ｂは、反応テーブル５の近傍に設けた第１試薬分注装置７や第２試薬分注装置９によって第１試薬テーブル２の試薬容器２ａ，２ｂや第２試薬テーブル３の試薬容器３ａ，３ｂから試薬が分注される。このとき、反応テーブル５に保持された複数の反応容器６Ａ，６Ｂは、外周側の反応容器６Ａが生化学検査項目用として使用され、内周側の反応容器６Ｂが遺伝子検査項目用として使用される。
【００１７】
ここで、第１試薬分注装置７及び第２試薬分注装置９は、それぞれ構造が同一であるので、第１試薬分注装置７について説明し、第２試薬分注装置９については、対応する構成要素に対応する符号を使用することで説明を省略する。
【００１８】
第１試薬分注装置７は、図１及び図３に示すように、水平面内を矢印方向（図１参照）に回動されるアーム７ａと試薬を分注するプローブ７ｂ，７ｃとを有し、洗浄水によってプローブ７ｂ，７ｃを洗浄する洗浄槽８がプローブ７ｂ，７ｃの移動軌跡上に配置されている。プローブ７ｂ，７ｃは、中心間の間隔Ｌ3（＝Ｌ2）が反応容器６Ａ，６Ｂの半径方向の間隔Ｌ2と等しくなるように設定され、図３に示すように、アーム７ａに上下動自在に支持されており、これらを覆うスリーブ７ｄの上部にラック７ｅが取り付けられている。プローブ７ｂ，７ｃは、ラック７ｅに噛み合うピニオン７ｆをアーム７ａに設置したモータによって回動させることによって上下動される。ここで、アーム７ａは、基部が支柱７ｇに支持されて水平方向に回動される。また、プローブ７ｂ，７ｃは、前記各モータを同期させることによって同時に上下動させることも、タイミングをずらして上下動させることも可能である。
【００１９】
ここで、第１試薬分注装置７は、プローブ７ｂ，７ｃによって第１試薬テーブル２に内周側と外周側に２重に保持された試薬容器２ａ，２ｂから第１試薬を同時に吸引すると共に、反応テーブル５に内外２列に配列された反応容器６Ａ，６Ｂに同時に分注可能なように配置する。従って、第１試薬分注装置７は、回動した際にアーム７ａの先端が第１試薬テーブル２の回転中心や反応テーブル５の回転中心Ｃを向く位置に配置する。
【００２０】
なお、洗浄槽８は、第１試薬分注装置７のプローブ７ｂ，７ｃの移動軌跡上に配置され、プローブ７ｂ，７ｃの内側を洗浄した洗浄水を廃棄すると共に、槽内に噴出する洗浄水によってプローブ７ｂ，７ｃの外側を洗浄する。同様に、洗浄槽１０は、第２試薬分注装置９のプローブ９ｂ，９ｃの移動軌跡上に配置され、プローブ９ｂ，９ｃを洗浄する。
【００２１】
検体容器移送部１１は、図１に示すように、複数のラック１１ａを矢印方向に沿って移送する移送手段であり、ラック１１ａを歩進させながら移送する。ラック１１ａは、検体を収容した複数の検体容器１１ｂを保持している。ここで、検体容器移送部１１は、検体分注装置１２に隣接する位置においては、図示のように２つのラック１１ａを並行させて移送し、検体分注装置１２のプローブ１２ｂ，１２ｃと対応する位置に存在する２つの検体容器１１ｂの間隔Ｌ4（＝Ｌ2）が反応容器６Ａ，６Ｂの半径方向の間隔と等しくなるように設定されている。また、並行して移送される２つのラック１１ａは、右側が遺伝子検査項目用の検体を採取した検体容器１１ｂを保持し、検体分注装置１２に隣接する左側が生化学検査項目用の検体を採取した検体容器１１ｂを保持している。
【００２２】
検体分注装置１２は、検体容器移送部１１によって移送される２列のラック１１ａの歩進が停止するごとに検体を２つの検体容器１１ｂから反応容器６Ａ，６Ｂへ分注する。検体分注装置１２は、水平方向に回動すると共に、上下方向に昇降する駆動アーム１２ａと、駆動アーム１２ａに支持され、第１試薬分注装置７のプローブ７ｂ，７ｃと同様に構成されるプローブ１２ｂ，１２ｃとを有している。プローブ１２ｂ，１２ｃは、中心間の間隔Ｌ5（＝Ｌ2）が反応容器６Ａ，６Ｂの半径方向の間隔Ｌ2と等しくなるように設定されている。
【００２３】
このため、検体分注装置１２は、並行して移送される２つのラック１１ａに保持された２つ検体容器１１ｂから検体を同時に吸引すると共に、反応テーブル５に内外２列に配列された反応容器６Ａ，６Ｂに同時に分注可能なように、回動した際に駆動アーム１２ａの先端が反応テーブル５の回転中心Ｃを向く位置に配置する。但し、プローブ１２ｂ，１２ｃは、これらを駆動する各モータを同期させることによって同時に上下動させることも、タイミングをずらして上下動させることも可能である。そして、検体分注装置１２は、検体を分注したプローブ１２ｂ，１２ｃを洗浄水によって洗浄する洗浄槽１３がプローブ１２ｂ，１２ｃの移動軌跡上に配置されている。
【００２４】
攪拌部１４は、図１に示すように、反応テーブル５外周の第２試薬分注装置９近傍に配置され、半径方向に隣り合う反応容器６Ａ，６Ｂに分注された検体と試薬とを含む液体試料を攪拌する。攪拌部１４は、例えば、表面弾性波素子によって液体試料を非接触で攪拌する攪拌装置や、攪拌棒によって液体試料を攪拌する攪拌装置が使用される。
【００２５】
測光部１５は、図１に示すように、反応テーブル５外周の攪拌部１４と洗浄部１６との間に配置され、試薬と検体とが反応した半径方向に隣り合う反応容器６Ａ，６Ｂ内の反応液を個々に分析するための分析光を出射し、反応容器６Ａ，６Ｂ内の反応液を透過した分析光の光量に関する光信号を制御部１７へ出力する。
【００２６】
洗浄部１６は、半径方向に隣り合い、測光が終了した反応容器６Ａ，６Ｂを洗浄するもので、反応容器６Ａ，６Ｂから反応液や洗剤又は洗浄水を吸引する吸引ノズルと、洗剤又は洗浄水を分注する分注ノズルとを有している。洗浄部１６は、測光終了後の反応容器６Ａ，６Ｂから測光後の反応液を吸引した後、洗剤又は洗浄水を分注する。洗浄部１６は、洗剤や洗浄水の分注と吸引の動作を複数回繰り返すことにより、反応容器６Ａ，６Ｂを洗浄する。このようにして洗浄された反応容器６Ａ，６Ｂは、再度、新たな検体の分析に使用される。
【００２７】
制御部１７は、例えば、マイクロコンピュータ等が使用され、図１に示すように自動分析装置１と接続され、自動分析装置１の各構成部の作動を制御すると共に、測光部１５が出力した光信号に基づく反応液の吸光度から検体の成分濃度等を分析する。また、制御部１７は、キーボード等の入力部１８から入力される分析指令に基づいて自動分析装置１の各構成部の作動を制御しながら分析動作を実行させると共に、分析結果や警告情報の他、入力部１８から入力される表示指令に基づく各種情報等をディスプレイパネル等の表示部１９に表示する。
【００２８】
このとき、本発明の自動分析装置１は、第１試薬テーブル２及び第２試薬テーブル３が外周側と内周側に試薬容器２ａ，２ｂ及び試薬容器３ａ，３ｂを２重に保持し、第１試薬分注装置７及び第２試薬分注装置９は、水平面内を矢印方向に回動されると共に、上下方向に昇降されるアーム７ａとアーム９ａに試薬を分注するプローブ７ｂ，７ｃとプローブ９ｂ，９ｃがそれぞれ設けられている。そして、反応テーブル５は、複数の反応容器６Ａ，６Ｂが周方向に沿って内外２列に配列されると共に、検体分注装置１２は、検体容器移送部１１によって移送される２列のラック１１ａのそれぞれの検体容器１１ｂから検体を反応容器６Ａ，６Ｂへ分注するプローブ１２ｂ，１２ｃを有している。
【００２９】
従って、自動分析装置１は、第１試薬分注装置７及び第２試薬分注装置９のプローブ７ｂ，９ｂを用いて第１試薬テーブル２及び第２試薬テーブル３の外側に配置された生化学検査項目用の試薬容器２ａ，３ａから反応テーブル５の外側に配置した生化学検査項目用の反応容器６Ａに試薬を分注する。そして、自動分析装置１は、検体分注装置１２のプローブ１２ｂを用いて２列のラック１１ａのうち生化学検査項目用の検体を保持した近い方の検体容器１１ｂから反応テーブル５の外側に配置した反応容器６Ａへ検体を分注する。
【００３０】
一方、自動分析装置１は、生化学検査項目用の試薬や検体の分注と並行して第１試薬分注装置７及び第２試薬分注装置９のプローブ７ｃ，９ｃを用いて第１試薬テーブル２及び第２試薬テーブル３の内側に配置された遺伝子検査項目用の試薬容器２ｂ，３ｂから反応テーブル５の内側に配置した遺伝子検査項目用の反応容器６Ｂに試薬を分注する。そして、自動分析装置１は、検体分注装置１２のプローブ１２ｃを用いて２列のラック１１ａのうち遺伝子検査項目用の検体を保持した遠い方の検体容器１１ｂから反応テーブル５の内側に配置した反応容器６Ｂへ検体を分注する。
【００３１】
このように、自動分析装置１は、生化学検査項目用の試薬を分注するプローブ７ｂ，９ｂ、検体を分注するプローブ１２ｂ及び反応テーブル５の外側に配置した生化学検査項目用の反応容器６Ａと、遺伝子検査項目用の試薬を分注するプローブ７ｃ，９ｃ、検体を分注するプローブ１２ｃ及び反応テーブル５の内側に配置した遺伝子検査項目用の反応容器６Ｂとに分け、生化学検査項目と遺伝子検査項目の異なる２つの検査項目の分析を並行して行う。従って、自動分析装置１は、異なる検査項目間での試薬や検体のクロスコンタミネーションを防止することができ、分析の信頼性や分析時間を従来通りに維持しつつ、小型化を図ることができる。
【００３２】
ここで、自動分析装置１は、異なる２つの検査項目の分析を並行して行う必要がない場合、例えば、生化学検査項目のみの分析を行う場合には、試薬を分注するプローブ７ｂ，９ｂ、検体を分注するプローブ１２ｂ及び反応テーブル５の外側に配置した反応容器６Ａのみを使用し、プローブ７ｃ，９ｃ及びプローブ１２ｃを上方へ引き上げておけばよい。或いは、自動分析装置１は、第１試薬テーブル２及び第２試薬テーブル３の試薬容器の配置を変更し、第１試薬分注装置７のプローブ７ｂ，７ｃ及び第２試薬分注装置９のプローブ９ｂ，９ｃを用いて試薬を分注し、検体分注装置１２のプローブ１２ｂ，１２ｃを用いて検体を分注することにより、生化学検査項目のみの分析を行うことも可能である。
【００３３】
更に、例えば、生化学検査項目に比べて遺伝子検査項目の検体が少ないような場合には、生化学検査項目の分析と遺伝子検査項目の分析とを並行して行った後、プローブ７ｃ，９ｃ及びプローブ１２ｃを上方へ引き上げ、残る生化学検査項目の分析をプローブ７ｂ，９ｂ及びプローブ１２ｂをのみを使用して行うようにする。
【００３４】
また、第１試薬分注装置７、第２試薬分注装置９及び検体分注装置１２、例えば、第１試薬分注装置７は、プローブ７ｂ，７ｃを必ずしも同時に上下動させる必要がなければ、図４に示すように、プローブ７ｂ，７ｃのスリーブ７ｄに取り付けた２つのラック７ｅ間にピニオン７ｆを配置すると、ピニオン７ｆを回動させるモータを１つにすることができる。
【００３５】
そして、第１試薬分注装置７は、例えば、生化学検査項目の分析を行う場合には、図５に示すように、プローブ７ｂを上昇させると共に、プローブ７ｃを下降させ、プローブ７ｃによって生化学検査項目用の試薬を分注する。一方、第１試薬分注装置７は、例えば、遺伝子検査項目の分析を行う場合には、図６に示すように、プローブ７ｃを上昇させると共に、プローブ７ｂを下降させ、プローブ７ｂによって遺伝子検査項目用の試薬を分注する。
【００３６】
このとき、第１試薬分注装置７は、図７に示すように、プローブ７ｂのラック７ｅとプローブ７ｃのラック７ｅのそれぞれにピニオン７ｆを噛み合わせ、更にアーム７ａを支柱７ｇに対して矢印で示すように上下動自在としてもよい。このように構成すると、第１試薬分注装置７は、アーム７ａを支柱７ｇに対して上下動させて分注のための昇降動作をさせた後、ピニオン７ｆによってプローブ７ｂ，７ｃの高さを微調整することができる。このため、第１試薬分注装置７は、プローブ７ｂ，７ｃに設けるラック７ｅの長さを短くすることができ、製造コストを低減することができる。
【００３７】
この場合、第１試薬分注装置７は、ピニオン７ｆに代えて、図８に示すように、プローブ７ｂ、７ｃの上部に連結部材７ｈを設けると共に、アーム７ａに支持させたプーリ７ｉ，７ｊ間にタイミングベルト７ｋを巻き掛け、プーリ７ｉをアーム７ａに設けたモータによって回転させることでプローブ７ｂ，７ｃを上下動させてもよい。このとき、タイミングベルト７ｋは、各連結部材７ｈを介してプローブ７ｂ，７ｃと連結されている。このように構成すると、第１試薬分注装置７は、プローブ７ｂ，７ｃにスリーブを設けなくてもよいので、構造が簡単になる。
【００３８】
また、第１試薬分注装置７、第２試薬分注装置９及び検体分注装置１２は、回動した際にアーム７ａ，９ａ及び駆動アーム１２ａの先端が反応テーブル５の回転中心Ｃを向く位置に配置した。しかし、異なる検査項目間における試薬や検体のクロスコンタミネーションを防止することができ、試薬や検体を適正な反応容器６Ａ，６Ｂに分注することができれば、第１試薬分注装置７、第２試薬分注装置９及び検体分注装置１２は、必ずしも回動した際にアーム７ａ，９ａ及び駆動アーム１２ａの先端が第１試薬テーブル２，第２試薬テーブル３の回転中心や反応テーブル５の回転中心Ｃを向く位置に配置する必要はない。
【００３９】
このような配置とする場合、第１試薬分注装置７、第２試薬分注装置９及び検体分注装置１２、例えば、第１試薬分注装置７は、図９に示すように、プローブ７ｂ，７ｃの中心間の間隔Ｌ3を反応容器６Ａ，６Ｂの半径方向の間隔Ｌ2よりも大きく設定し、周方向に位置がずれた２つの試薬容器２ａ，２ｂから検査項目の異なる試薬をプローブ７ｂ，７ｃに吸引し、周方向に位置がずれ、検査項目が異なる反応容器６Ａ，６Ｂのそれぞれへ吸引した試薬を吐出する。
【００４０】
尚、上述の実施の形態は、自動分析装置１が生化学検査項目、遺伝子検査項目又は免疫検査項目のうち生化学検査項目と遺伝子検査項目の異なる２つの検査項目の分析を並行して行う場合について説明した。しかし、自動分析装置１は、生化学検査項目と免疫検査項目或いは遺伝子検査項目と免疫検査項目の異なる２つの検査項目の分析を並行して行うことも可能である。
【００４１】
また、自動分析装置１の反応テーブル５は、保持する複数の反応容器６Ａ，６Ｂの半径方向における中心間の間隔Ｌ2が試薬容器２ａ，２ｂの試薬分注口の間隔Ｌ1と等しくなるように設定するために、図２に示したように、反応容器６Ａと反応容器６Ｂの数を等しく設定した。しかし、反応テーブル５は、反応容器６Ａ，６Ｂの間隔Ｌ2が試薬容器２ａ，２ｂの間隔Ｌ1と等しければ、反応容器６Ａと反応容器６Ｂの数は必ずしも等しく設定する必要はなく、例えば、遺伝子検査項目用の反応容器６Ｂの数を生化学検査項目用の反応容器６Ａよりも少なくしてもよい。
【００４２】
更に、上述の実施の形態の第１試薬分注装置７、第２試薬分注装置９及び検体分注装置１２は、プローブ７ｂ，７ｃ、プローブ９ｂ，９ｃ及びプローブ１２ｂ，１２ｃの２本のプローブを有する場合について説明した。しかし、第１試薬分注装置７、第２試薬分注装置９及び検体分注装置１２は、試薬分注プローブや検体分注プローブが複数であれば２本に限定されるものではない。この場合、反応容器も２列に代えて複数列とすれば、複数の検査項目の分析を並行して行うことができる。
【図面の簡単な説明】
【００４３】
【図１】本発明の自動分析装置を示す概略構成図である。
【図２】図１の自動分析装置で使用している反応テーブルの平面図である。
【図３】図１の自動分析装置で使用している試薬分注装置の側面図である。
【図４】図１の自動分析装置で使用している試薬分注装置の第１の変形例を示す側面図である。
【図５】図４の試薬分注装置において生化学検査項目の分析を行う場合のプローブの配置を示す側面図である。
【図６】図４の試薬分注装置において遺伝子検査項目の分析を行う場合のプローブの配置を示す側面図である。
【図７】図１の自動分析装置で使用している試薬分注装置の第２の変形例を示す側面図である。
【図８】図１の自動分析装置で使用している試薬分注装置の第３の変形例を示す側面図である。
【図９】プローブの中心間の間隔を反応容器の半径方向の間隔よりも大きく設定した分注装置の変形例を示す自動分析装置の要部を示す平面図である。
【符号の説明】
【００４４】
１              自動分析装置
２              第１試薬テーブル
２ａ，２ｂ      試薬容器
３              第２試薬テーブル
３ａ，３ｂ      試薬容器
５              反応テーブル
６              反応容器
７              第１試薬分注装置
７ａ            アーム
７ｂ，７ｃ      プローブ
８              洗浄槽
９              第２試薬分注装置
１０            洗浄槽
１１            検体容器移送部
１１ａ          ラック
１１ｂ          検体容器
１２            検体分注装置
１２ａ          駆動アーム
１２ｂ，１２ｃ  プローブ
１３            攪拌部
１４            測光部
１５            洗浄部
１７            制御部
１８            入力部
１９            表示部
Ｃ              反応テーブルの回転中心
【図１】
2009053028.tif 000003
【図２】
2009053028.tif 000004
【図３】
2009053028.tif 000005
【図４】
2009053028.tif 000006
【図５】
2009053028.tif 000007
【図６】
2009053028.tif 000008
【図７】
2009053028.tif 000009
【図８】
2009053028.tif 000010
【図９】
2009053028.tif 000011